(57)【要約】【課題】古新聞紙を結束する時に必要とする力を軽減させるために、あらかじめ古新聞紙を圧縮しておく事のできる古新聞等の圧縮機を提供する。【解決手段】本発明は、折りたたんだ新聞やチラシなどの積載物を積む積載ベース（５）と積載ベース（５）の後方に立設されたガイドレール（３）と、このガイドレール（３）の上部に設けたガイドレール上部（４）より構成されるベース部材と、折りたたんだ新聞やチラシなどの積載物を上面から押し付ける形状の圧縮部材（１）と圧縮部材（１）の後方に設けられ、前記ガイドフレーム（３）に沿って上下方向にスライドするストッパー金具（２）と、このストッパー金具（２）をガイドレール（３）に取りつけた状態で前記ガイドフレーム（３）に沿うように、ストッパー金具（２）に立設された圧縮解除フレーム（６）より構成される可動部材からなる事を特徴とする。【選択図】図５
2005047612.tif 000002
【特許請求の範囲】
【請求項１】
折りたたんだ新聞やチラシなどの積載物を積む積載ベース（５）と、積載ベース（５）の後方に立設されたガイドレール（３）と、ガイドレール上部（４）に設けられたガイド側ハンドルとより構成されるベース部材と、折りたたんだ新聞やチラシなどの積載物の上面を押し付ける形状の圧縮部材（１）と、圧縮部材（１）の後方に設けられ前記ガイドレール（３）によって上下動するガイドを有するストッパー金具（２）と、ストッパー金具（２）をガイドレール（３）に取りつけた状態で、前記ガイドレール（３）に沿うようにストッパー金具（２）へ立設された圧縮解除フレーム（６）の可動部材側ハンドルとよりなる可動部材とより構成され、圧縮部材（１）とストッパー金具（２）の連結部に下方向へ力を加えることで折りたたんだ新聞やチラシなどの積載物が圧縮され、ガイド側ハンドルと可動部材側ハンドルを握ることで圧縮部材後方を支点として圧縮力と反対方向へ力を加えるように圧縮力を解除できることを特徴とする古新聞等の圧縮機。
【発明の詳細な説明】
【発明の詳細な説明】
【技術分野】
【０００１】  この発明は、古新聞紙を結束する時に必要とする力を軽減させるためにあらかじめ古新聞紙を圧縮しておく事のできる古新聞等の圧縮機に関するものである。
【背景技術】
【０００２】  従来、四つ折りにされた古新聞紙を、そのまま積み重ねて保管する新聞ラックや、またその他、古新聞紙をラックに載せたまま結束できる様にラックの底に紐を通す溝を設けた新聞ラックなどがあった。
【発明が解決しようとする課題】
【０００３】  そのために次のような問題点があった。
（イ）  前記ラックは一時保管や結束しやすくはなっているが、搬出の際に発生する結束に関しては古新聞紙を紐やロープなどを使い素手で圧縮されていない分だけ余計に締め上げて結束しなければならないので、腕力を強いられてしまう。さらに結束にも時間が掛かってしまい能率も悪い。
（ロ）  四つ折りにされた古新聞紙は、折り目の発生に伴い必要以上の厚みを持ってくるので、平たく潰すわけでもなくそのまま積み重ねて保管すると、その厚みの分だけ容量が増加してしまうので効率が悪かった。
（ハ）  しっかり結束できなっかた場合、搬出の際に紐の緩みが生じて荷崩れを起こし運搬効率が悪くなってしまう。
本発明は、これらの問題点を解決するためになされたものである。
【課題を解決するための手段】
【０００４】  本発明は、折りたたんだ新聞やチラシなどの積載物を積む積載ベース（５）と積載ベース（５）の後方に立設されたガイドレール（３）と、このガイドレール（３）の上部に設けたガイドレール上部（４）より構成されるベース部材と、折りたたんだ新聞やチラシなどの積載物を上面から押し付ける形状の圧縮部材（１）と圧縮部材（１）の後方に設けられ、前記ガイドフレーム（３）に沿って上下方向にスライドするストッパー金具（２）と、このストッパー金具（２）をガイドレール（３）に取りつけた状態で前記ガイドフレーム（３）に沿うようにストッパー金具（２）に立設された圧縮解除フレーム（６）より構成される可動部材からなる古新聞等の圧縮機である。
【発明を実施するための最良の形態】
【０００５】  以下，本発明の実施の形態について説明する。
本発明は、［図４］に示すように折りたたんだ新聞やチラシなどの積載物を積む四角い鉄板の積載ベース（５）と、積載ベース（５）の後方に長さ３００［ｍｍ］でピッチ５０［ｍｍ］に立設された二本の鉄製丸棒からなるガイドレール（３）と、このガイドレール（３）の上部を４０［ｍｍ］程の長さを後方へ向かって傾斜を持たせることでこの位置に圧縮部材（１）に連結されたストッパー金具（２）を新聞やチラシなどを積載および取り出しを行う際、［図１］に示すように一時的に止めておく事のできるガイドレール（４）に設けられたガイド側ハンドルとより構成されるベース部材と、［図３］に示すように折りたたんだ新聞やチラシなどの積載物の上面外周付近を押さえ付ける鉄製丸棒を四角く曲げた圧縮部材（１）と圧縮部材（１）の後方に設けられ、そして前記ガイドレール（３）に沿って上下方向にスライドし、圧縮時にガイドレール（３）との接触部分に食い込むために必要となるガイドレール（３）のサイズに合わせて長孔を空けたストッパー金具（２）を、圧縮部材（１）に対してある程度下方へ傾斜を持たせて連結し、さらにストッパー金具（２）をガイドレール（３）に取りつけた状態でガイドレール（３）に沿うようにストッパー金具（２）に立設された、細い鉄製丸棒を長さ１４０［ｍｍ］・幅８０［ｍｍ］のＵ字型に曲げ加工した圧縮解除フレーム（６）の可動部材側ハンドルとよりなる可動部材から構成され、圧縮部材（１）とストッパー金具（２）の連結部付近に下方へ力を加えることで折りたたんだ新聞やチラシなどの積載物が圧縮され、ガイド側ハンドルと可動部材側ハンドルを握ることで圧縮部材後方を支点として圧縮力と反対へ力を加えるように圧縮力を解除できる構造になっている。【０００６】本発明を使用するときは、まず新聞紙等の積載物を１〜２日分を目安にして積載ベース（５）へ乗せる。次に、圧縮部材（１）をガイドレール（３）に沿ってスライド下降させて新聞紙に接触している状態で圧縮部材後方部（Ｂ）の部分を素手で真上から垂直に力を加える。すると、圧縮されている新聞紙は復元しようとするので、圧縮部材（１）にはガイドレール（３）を支点とした上方へ押し上げられる力が働き、ストッパー金具（２）とガイドレール（３）との間に摩擦が生じてストッパー金具（２）はガイドレール（３）との接触部分に食い込み最大に降下した位置で止まり、この位置を維持し続ける。このため、新聞紙は圧縮部材（１）から圧力を継続して受ける事になり、そのままの状態でおよそ２日間放置すると新聞紙には圧縮時のクセが付き減容される。また、新たに新聞紙を付け足すときは圧縮部材前方部（Ａ）の部分を押すか、もしくは圧縮解除フレーム（６）をガイドレール（３）に向かって近づける様に握ると簡単に解除する事ができるので、解除したのち減容した新聞紙の上に積み重ねて前記と同じ要領で圧縮する。以上の手順を繰り返し行い、古新聞紙が一定積載量に達した後は［図６］に示すように積載ベースから古新聞紙を取り出し、新聞同士がずれない程度に紐などで結束して廃品回収に出せば良い。【０００７】部材は基本的に金属製の丸棒を使用するが、圧縮部材（１）と積載ベース（５）においては金属板・木材板・アクリル板などのある程度硬度を持っている平板部材に置き換えても、さほど圧縮力の低下はみられない。また、板材を用いることでインテリアに合わせて部材を替え、板材に切り抜き模様や彫り物などの加工も施せるようになりデザイン性も向上し、なおかつ軽量化もはかることができる。
【発明の効果】
【０００８】  本発明は古新聞紙を圧縮しながら新聞ラックの役目も果たすので、効率良く保管することができる。
古新聞紙を本発明で事前に圧縮しておくことによって、結束する時の力を軽減させる事ができる。
圧縮された古新聞紙は、四つ折りにされた時のクセによる厚みが減少しており、しっかりと安定した結束が行えるので、搬出の際における紐の緩みや荷崩れを防ぐことができる。
【図面の簡単な説明】
【図１】本発明の斜視図である。
【図２】本発明の分解斜視図である。
【図３】本発明の可動部材を示す図である。
【図４】本発明のベース部材を示す図である。
【図５】本発明の実施例を示す斜視図である。
【図６】本発明の実施例を示す図である。
【符号の説明】
１  圧縮部材
２  ストッパー金具
３  ガイドレール
４  ガイドレール上部
５  積載ベース
６  圧縮解除フレーム
Ａ  圧縮部材前方部
Ｂ  圧縮部材後方部
【図１】
2005047612.tif 000003
【図２】
2005047612.tif 000004
【図３】
2005047612.tif 000005
【図４】
2005047612.tif 000006
【図５】
2005047612.tif 000007
【図６】
2005047612.tif 000008